【手続補正書】
【提出日】平成29年1月23日(2017.1.23)
【手続補正１】
【補正対象書類名】特許請求の範囲
【補正対象項目名】全文
【補正方法】変更
【補正の内容】
【特許請求の範囲】
【請求項１】
レーザビームを歯科治療面積に指向するための装置であって、
光学サブシステムおよび一次流体供給サブシステムを備え、レーザビームおよび流体を歯科治療面積に指向するように適合される、主チャンバと、
前記主チャンバに添着可能なハンドピースであって、対合光学サブシステムおよび対合二次流体供給サブシステムを備える、ハンドピースと
を備え、それによって、前記ハンドピースの前記主チャンバへの添着に応じて、前記二次流体供給サブシステムは、前記レーザビームと同時に、冷却剤を前記歯科治療面積に提供するために、前記一次流体供給サブシステムと流体連通を形成し、前記対合光学サブシステムは、前記レーザビームを前記歯科治療面積に提供するために、前記光学サブシステムと整合する、装置。
【請求項２】
前記ハンドピースは、前記主チャンバに回転可能に添着可能であり、
前記一次流体供給サブシステムおよび前記二次流体サブシステムは、前記ハンドピースが前記主チャンバに対して回転されるとき、流体連通が維持されるように、環状溝セットおよび対応する半径方向ポートを備える、
請求項１に記載の装置。
【請求項３】
前記一次流体供給サブシステムは、一次水チャネルおよび一次空気チャネルを備え、
前記二次流体供給サブシステムは、対応する二次水チャネルおよび対応する二次空気チャネルを備え、
前記溝セットは、第１および第２の環状溝を備え、
それによって、前記一次および二次水チャネルは、前記第１の溝を介して、流体連通を形成し、前記一次および二次空気チャネルは、前記第２の溝を介して、流体連通を形成する、請求項２に記載の装置。
【請求項４】
前記一次および二次流体供給サブシステムと関連付けられた密閉機構をさらに備える、請求項１に記載の装置。
【請求項５】
前記密閉機構は、少なくとも１つのＯリングを備える、請求項４に記載の装置。
【請求項６】
レーザビームを歯科治療面積に指向するための装置であって、
光学サブシステムを備える、主チャンバと、
前記主チャンバに添着可能なハンドピースであって、前記ハンドピースは、回路を備え、前記ハンドピースの特徴に関連する情報が前記回路内にエンコードされている、ハンドピースと
を備える、装置。
【請求項７】
前記特徴は、約９０度先端およびコントラアングル約１０５度先端のうちの１つである、請求項６に記載の装置。
【請求項８】
前記エンコードされた情報は、前記ハンドピースの長さ、前記ハンドピースの直径、前記先端の角度、および前記歯科治療面積からの前記先端の隔離距離のうちの少なくとも１つを備える、請求項６に記載の装置。
【請求項９】
前記ハンドピースは、前記主チャンバに回転可能に添着可能であり、前記装置は、
前記ハンドピースが回転することを防止するための手段と、
プロセッサによって前記エンコードされた情報を抽出するために、前記ハンドピース内の前記回路と前記プロセッサとの間の電気通信を確立するためのインターフェースと
をさらに備える、請求項６に記載の装置。
【請求項１０】
前記ハンドピースは、前記主チャンバに回転可能に添着可能であり、前記装置は、
プロセッサによって前記エンコードされた情報を抽出するために、前記ハンドピース内の前記回路と前記プロセッサとの間の電気通信を確立するためのスリップリング
をさらに備える、請求項６に記載の装置。
【請求項１１】
前記ハンドピースは、前記主チャンバに回転可能に添着可能であり、前記装置は、
プロセッサによって前記エンコードされた情報を抽出するために、前記ハンドピース内の前記回路と前記プロセッサとの間の通信を確立するためのＲＦＩＤトランスポンダ
をさらに備える、請求項６に記載の装置。
【請求項１２】
レーザビームを歯科治療面積に指向するために使用される、ハンドピースに添着可能な整合アタッチメントであって、
標的構成要素と、
前記ハンドピースの先端に添着可能な隔離固定具であって、それによって、実質的に、前記先端から発出するレーザビームの焦点に、前記標的構成要素を配置する、隔離固定具と
を備える、整合アタッチメント。
【請求項１３】
前記標的構成要素は、プラスチックディスクを備える、請求項１２に記載の整合アタッチメント。
【請求項１４】
レーザビームを歯科治療面積に指向するために使用される、ハンドピースに添着可能な整合アタッチメントであって、
ビームダンプと、
前記ビームダンプに取り外し可能に添着可能な感熱紙と、
前記ハンドピースの先端に添着可能な隔離固定具であって、それによって、実質的に、前記先端内の開口部から発出するレーザビームの焦点に、前記感熱紙を配置し、前記焦点が、前記開口部と前記ビームダンプとの間に位置する、隔離固定具と
を備える、整合アタッチメント。
【請求項１５】
レーザベースの歯科治療システムを制御するためのフットペダルであって、
歯科治療のために使用されるレーザビームのパワーを制御するために、ユーザの足が接触するために適合される上側表面を備える、フットペダル。
【請求項１６】
前記フットペダルは、レーザパルス繰り返し率およびパルスあたりのレーザエネルギーのうちの少なくとも１つを調節するために適合される、請求項１５に記載のフットペダル。
【請求項１７】
前記フットペダルは、検流計率を調節するために適合される、請求項１５に記載のフットペダル。
【請求項１８】
レーザビームを歯科治療面積に指向するための装置であって、
主チャンバと、先端を有する可撤性ハンドピースとを有するレーザベースの治療システムと、
前記ハンドピースが前記主チャンバに添着された後、前記ハンドピース内に位置する回路から、前記先端に関連する情報を読み出すための手段と、
前記先端内の一次光学サブシステムおよび二次光学サブシステムを通過するレーザビームが歯科治療面積の選択されたスポットに指向されるように、前記読み出された情報に少なくとも部分的に基づいて、前記主チャンバ内の前記一次光学サブシステムのミラーの位置を調節するための手段と
を含む、装置。
【請求項１９】
レーザビームを歯科治療面積に指向するための装置であって、
レーザベースの治療システムと、
レーザパルスの複数のバーストを送達する可動ミラーであって、各バーストは、ＯＮ間隔に続いて、ＯＦＦ間隔を備え、レーザパルスは、前記ＯＮ間隔の間に、前記歯科治療面積に指向され、実質的に、レーザパルスは、前記ＯＦＦ間隔の間、前記歯科治療面積に指向されない、可動ミラーと、
（ｉ）前記複数のバーストの第１のバーストの間、前記治療面積内の第１の場所と、（ｉｉ）前記複数のバーストの第２のバーストの間、前記治療面積内の第２の場所とに前記レーザパルスを指向するように、前記ミラーの位置を調節するための手段と
を含む、装置。
【請求項２０】
前記ＯＮ間隔、前記ＯＦＦ間隔、および前記バーストのうちの少なくとも１つの持続時間を選択するためのフットペダルをさらに含む、請求項１９に記載の装置。
【請求項２１】
レーザビームを歯科治療面積に指向するための装置であって、
レーザベースの治療システムと、
レーザビームパルスの複数のバーストを送達するための手段であって、前記レーザビームは、約９μｍ〜約１１．５μｍの範囲内の波長を備え、各バーストは、ＯＮ間隔に続いて、ＯＦＦ間隔を備え、レーザパルスは、前記ＯＮ間隔の間、前記歯科治療面積に指向され、実質的に、レーザパルスは、前記ＯＦＦ間隔の間、前記歯科治療面積に指向されない、手段と
を含む、装置。
【請求項２２】
前記レーザビームパルスの複数のバーストを送達するための手段は、可動ミラーであり、前記装置は、（ｉ）前記複数のバーストの第１のバーストの間、前記治療面積内の第１の場所と、（ｉｉ）前記複数のバーストの第２のバーストの間、前記治療面積内の第２の場所とに前記レーザパルスを指向するように、前記可動ミラーの位置を調節するための手段をさらに含む、請求項２１に記載の装置。
【請求項２３】
前記レーザビームは、ＣＯ２レーザによって発生させられる、請求項２１に記載の装置。
【請求項２４】
レーザビームを歯科治療面積に指向するための装置であって、
主光学サブシステムおよび一次流体供給サブシステムを備え、レーザビームおよび流体を歯科治療面積に指向するように適合される、主チャンバと、
前記主チャンバに添着可能なハンドピースであって、（ｉ）対合光学サブシステムおよび対合二次流体供給サブシステムを備え、（ｉｉ）前記ハンドピース内の光学軸を中心として回転可能である、ハンドピースと、
係止部であって、前記係止部は、係合されると、前記ハンドピースの選択可能角度配向を前記主チャンバに対して維持し、係脱されると、前記ハンドピースが、前記ハンドピースの光学軸を中心として回転することを可能にする、係止部と
を備える、装置。
【請求項２５】
前記係止部は、クランプを備える、請求項２４に記載の装置。
【請求項２６】
前記ハンドピースの前記主チャンバへの添着に応じて、前記二次流体供給サブシステムは、前記レーザビームと同時に、冷却剤を前記歯科治療面積に提供するために、前記一次流体供給サブシステムと流体連通を形成する、請求項２４に記載の装置。
【請求項２７】
前記一次流体供給サブシステムおよび前記二次流体サブシステムは、前記ハンドピースが前記主チャンバに対して回転されるときに流体連通が維持されるように、環状溝セットおよび対応する半径方向ポートを備える、請求項２４に記載の装置。
【請求項２８】
前記一次および二次流体供給サブシステムと関連付けられた密閉機構をさらに備える、請求項２４に記載の装置。
【請求項２９】
前記密閉機構は、少なくとも１つのＯリングを備える、請求項２８に記載の装置。
【請求項３０】
レーザビームを歯科治療面積に指向するための装置であって、
主光学サブシステムおよび一次流体供給サブシステムを備え、レーザビームおよび流体を歯科治療面積に指向するように適合される、主チャンバと、
前記主チャンバに添着可能なハンドピースであって、（ｉ）対合光学サブシステムおよび対合二次流体供給サブシステムを備え、（ｉｉ）前記ハンドピース内の光学軸を中心として回転可能である、ハンドピースと、
係止部であって、前記係止部は、係合されると、前記ハンドピースの選択可能角度配向を前記主チャンバに対して維持し、係脱されると、前記ハンドピースが、前記ハンドピースの光学軸を中心として回転することを可能にする、係止部と、
前記ハンドピースの選択された角度配向を測定するための角度測定センサと、
前記主光学サブシステムと前記対合光学サブシステムとを整合させるように、前記選択された角度配向に少なくとも部分的に基づいて、前記主光学サブシステムを調節するためのコントローラと
を備える、装置。
【請求項３１】
前記コントローラは、前記係止部を係合すると、前記主チャンバ内のレーザビームの主光学軸が、実質的に、前記ハンドピースの光学軸と共線状となるように、前記主光学サブシステムを調節するように適合される、請求項３０に記載の装置。
【請求項３２】
前記主光学サブシステムは、モータによって調節可能な少なくとも１つのミラーを備え、前記コントローラは、前記モータを制御し、前記少なくとも１つのミラーの初期位置を調節するように適合される、請求項３０に記載の装置。
【請求項３３】
前記コントローラは、（ｉ）機能ベースの計算機であって、その機能が、前記選択された角度配向に従って、前記主光学サブシステムへの調節を規定する、機能ベースの計算機、および（ｉｉ）前記選択された角度配向に従って、前記主光学サブシステムへの調節を規定する、ルックアップテーブルのうちの少なくとも１つを備える、請求項３０に記載の装置。
【手続補正２】
【補正対象書類名】明細書
【補正対象項目名】００２９
【補正方法】変更
【補正の内容】
【００２９】
本発明の別の側面によると、前述の装置、構造、およびシステムの製造および使用と関連付けられた種々の方法が、企図され、本明細書に記載の本発明の範囲内であると見なされる。
本発明は、例えば、以下を提供する。
（項目１）
レーザビームを歯科治療面積に指向するための装置であって、
光学サブシステムおよび一次流体供給サブシステムを備え、レーザビームおよび流体を歯科治療面積に指向するように適合される、主チャンバと、
前記主チャンバに添着可能なハンドピースであって、対合光学サブシステムおよび対合二次流体供給サブシステムを備える、ハンドピースと、
を備え、それによって、前記ハンドピースの前記主チャンバへの添着に応じて、前記二次流体供給サブシステムは、前記レーザビームと同時に、冷却剤を前記歯科治療面積に提供するために、前記一次流体供給サブシステムと流体連通を形成し、前記対合光学サブシステムは、前記レーザビームを前記歯科治療面積に提供するために、前記光学サブシステムと整合する、装置。
（項目２）
前記ハンドピースは、前記主チャンバに回転可能に添着可能であって、
前記一次流体供給サブシステムおよび前記二次流体サブシステムは、前記ハンドピースが前記主チャンバに対して回転されるとき、流体連通が維持されるように、環状溝セットおよび対応する半径方向ポートを備える、
項目１に記載の装置。
（項目３）
前記一次流体供給サブシステムは、一次水チャネルおよび一次空気チャネルを備え、
前記二次流体供給サブシステムは、対応する二次水チャネルおよび対応する二次空気チャネルを備え、
前記溝セットは、第１および第２の環状溝を備え、
それによって、前記一次および二次水チャネルは、前記第１の溝を介して、流体連通を形成し、前記一次および二次空気チャネルは、前記第２の溝を介して、流体連通を形成する、項目２に記載の装置。
（項目４）
前記一次および二次流体供給サブシステムと関連付けられた密閉機構をさらに備える、項目１に記載の装置。
（項目５）
前記密閉機構は、少なくとも１つのＯリングを備える、項目４に記載の装置。
（項目６）
レーザビームを歯科治療面積に指向するための装置であって、
光学サブシステムを備える、主チャンバと、
前記主チャンバに添着可能なハンドピースであって、前記ハンドピースの特徴に関連するその中にエンコードされた情報を有する、回路を備える、ハンドピースと、
を備える、装置。
（項目７）
前記特徴は、約９０度先端およびコントラアングル約１０５度先端のうちの１つである、項目６に記載の装置。
（項目８）
前記エンコードされた情報は、前記ハンドピースの長さ、前記ハンドピースの直径、前記先端の角度、および前記歯科治療面積からの前記先端の隔離距離のうちの少なくとも１つを備える、項目６に記載の装置。
（項目９）
前記ハンドピースは、前記主チャンバに回転可能に添着可能であって、
前記ハンドピースが回転しないように防止する手段と、
前記プロセッサによって前記エンコードされた情報を抽出するために、前記ハンドピース内の回路とプロセッサとの間の電気通信を確立するためのインターフェースと、
をさらに備える、項目６に記載の装置。
（項目１０）
前記ハンドピースは、前記主チャンバに回転可能に添着可能であって、
前記プロセッサによって前記エンコードされた情報を抽出するために、前記ハンドピース内の回路とプロセッサとの間の電気通信を確立するためのスリップリングをさらに備える、項目６に記載の装置。
（項目１１）
前記ハンドピースは、前記主チャンバに回転可能に添着可能であって、
前記プロセッサによって前記エンコードされた情報を抽出するために、前記ハンドピース内の回路とプロセッサとの間の通信を確立するためのＲＦＩＤトランスポンダをさらに備える、項目６に記載の装置。
（項目１２）
レーザビームを歯科治療面積に指向するために使用される、ハンドピースに添着可能な整合アタッチメントであって、
標的構成要素と、
前記ハンドピースの先端に添着可能であって、それによって、実質的に、前記先端から発出するレーザビームの焦点に、前記標的構成要素を配置する、隔離固定具と、
を備える、整合アタッチメント。
（項目１３）
前記標的構成要素は、プラスチックディスクを備える、項目１０に記載の整合アタッチメント。
（項目１４）
レーザビームを歯科治療面積に指向するために使用される、ハンドピースに添着可能な整合アタッチメントであって、
ビームダンプと、
前記ビームダンプに可撤性に添着可能な感熱紙と、
前記ハンドピースの先端に添着可能であって、それによって、実質的に、前記先端内の開口部から発出するレーザビームの焦点に、前記感熱紙を配置し、前記焦点が、前記開口部と前記ビームダンプとの間に位置する、隔離固定具と、
を備える、整合アタッチメント。
（項目１５）
レーザベースの歯科治療システムを制御するためのフットペダルであって、
歯科治療のために使用されるレーザビームのパワーを制御するために、ユーザの足によって接触するために適合される、上側表面を備える、フットペダル。
（項目１６）
前記フットペダルは、レーザパルス繰り返し率およびパルスあたりのレーザエネルギーのうちの少なくとも１つを調節するために適合される、項目１５に記載のフットペダル。
（項目１７）
前記フットペダルは、検流計率を調節するために適合される、項目１５に記載のフットペダル。
（項目１８）
主チャンバと、先端を有する可撤性ハンドピースとを有する、レーザベースの治療システムを使用して、レーザビームを歯科治療面積に指向する方法であって、
前記ハンドピースが前記主チャンバに添着された後、前記ハンドピース内に位置する回路から、前記先端に関連する情報を読み出すステップと、
前記先端内の一次光学サブシステムおよび二次光学サブシステムを通して通過するレーザビームが、歯科治療面積の選択されたスポットに指向されるように、少なくとも部分的に、前記読み出された情報に基づいて、前記主チャンバ内の一次光学サブシステムのミラーの位置を調節するステップと、
を含む、方法。
（項目１９）
レーザベースの治療システムを使用して、レーザビームを歯科治療面積に指向する方法であって、
可動ミラーを介して、レーザパルスの複数のバーストを送達するステップであって、各バーストは、ＯＮ間隔に続いて、ＯＦＦ間隔を備え、レーザパルスは、前記ＯＮ間隔の間に、前記歯科治療面積に指向され、実質的に、レーザパルスは、前記ＯＦＦ間隔の間、前記歯科治療面積に指向されない、ステップと、
（ｉ）前記複数のバーストの第１のバーストの間、前記治療面積内の第１の場所と、（ｉｉ）前記複数のバーストの第２のバーストの間、前記治療面積内の第２の場所とに前記レーザパルスを指向するように、前記ミラーの位置を調節するステップと、
を含む、方法。
（項目２０）
フットペダルを使用して、前記ＯＮ間隔の持続時間、前記ＯＦＦ間隔の持続時間、および前記バーストの持続時間のうちの少なくとも１つを選択するステップをさらに含む、項目１９に記載の方法。
（項目２１）
前記ＯＮ間隔、前記ＯＦＦ間隔、および前記バーストのうちの少なくとも１つの持続時間を選択するように、フットペダルを構成するステップをさらに含む、項目１９に記載の方法。
（項目２２）
レーザベースの治療システムを使用して、レーザビームを歯科治療面積に指向する方法であって、
レーザビームパルスの複数のバーストを送達するステップであって、前記レーザビームは、約９μｍ〜約１１．５μｍの範囲内の波長を備え、各バーストは、ＯＮ間隔に続いて、ＯＦＦ間隔を備え、レーザパルスは、前記ＯＮ間隔の間、前記歯科治療面積に指向され、実質的に、レーザパルスは、前記ＯＦＦ間隔の間、前記歯科治療面積に指向されない、ステップを含む、方法。
（項目２３）
（ｉ）前記複数のバーストの第１のバーストの間、前記治療面積内の第１の場所と、（ｉｉ）前記複数のバーストの第２のバーストの間、前記治療面積内の第２の場所とに前記レーザパルスを指向するように、可動ミラーの位置を調節するステップをさらに含む、項目２２に記載の方法。
（項目２４）
前記レーザビームは、ＣＯ２レーザによって発生される、項目２２に記載の方法。
（項目２５）
レーザビームを歯科治療面積に指向するための装置であって、
主光学サブシステムおよび一次流体供給サブシステムを備え、レーザビームおよび流体を歯科治療面積に指向するように適合される、主チャンバと、
前記主チャンバに添着可能なハンドピースであって、（ｉ）対合光学サブシステムおよび対合二次流体供給サブシステムを備え、（ｉｉ）前記ハンドピース内の光学軸を中心として回転可能である、ハンドピースと、
係合されると、前記ハンドピースの選択可能角度配向を前記主チャンバに対して維持し、係脱されると、前記ハンドピースが、その光学軸を中心として回転することを可能にするための係止部と、
を備える、装置。
（項目２６）
前記係止部は、クランプを備える、項目２５に記載の装置。
（項目２７）
前記ハンドピースの前記主チャンバへの添着に応じて、前記二次流体供給サブシステムは、前記レーザビームと同時に、冷却剤を前記歯科治療面積に提供するために、前記一次流体供給サブシステムと流体連通を形成する、項目２５に記載の装置。
（項目２８）
前記一次流体供給サブシステムおよび前記二次流体サブシステムは、前記ハンドピースが前記主チャンバに対して回転されるとき、流体連通が維持されるように、環状溝セットおよび対応する半径方向ポートを備える、項目２５に記載の装置。
（項目２９）
前記一次および二次流体供給サブシステムと関連付けられた密閉機構をさらに備える、項目２５に記載の装置。
（項目３０）
前記密閉機構は、少なくとも１つのＯリングを備える、項目２９に記載の装置。
（項目３１）
レーザビームを歯科治療面積に指向するための装置であって、
主光学サブシステムおよび一次流体供給サブシステムを備え、レーザビームおよび流体を歯科治療面積に指向するように適合される、主チャンバと、
前記主チャンバに添着可能なハンドピースであって、（ｉ）対合光学サブシステムおよび対合二次流体供給サブシステムを備え、（ｉｉ）前記ハンドピース内の光学軸を中心として回転可能である、ハンドピースと、
係合されると、前記ハンドピースの選択可能角度配向を前記主チャンバに対して維持し、係脱されると、前記ハンドピースが、その光学軸を中心として回転することを可能にするための係止部と、
前記ハンドピースの選択された角度配向を測定するための角度測定センサと、
前記主光学サブシステムと前記対合光学サブシステムを整合させるように、少なくとも部分的に、前記選択された角度配向に基づいて、前記主光学サブシステムを調節するためのコントローラと、
を備える、装置。
（項目３２）
前記コントローラは、前記係止部への係合に応じて、前記主チャンバ内のレーザビームの主光学軸が、実質的に、前記ハンドピースの光学軸と共線状となるように、前記主光学サブシステムを調節するように適合される、項目３１に記載の装置。
（項目３３）
前記主光学サブシステムは、モータによって調節可能な少なくとも１つのミラーを備え、前記コントローラは、前記モータを制御し、前記少なくとも１つのミラーの初期位置を調節するように適合される、項目３１に記載の装置。
（項目３４）
前記コントローラは、（ｉ）その機能が、前記選択された角度配向に従って、前記主光学サブシステムへの調節を規定する、機能ベースの計算機、および（ｉｉ）前記選択された角度配向に従って、前記主光学サブシステムへの調節を規定する、ルックアップテーブルのうちの少なくとも１つを備える、項目３１に記載の装置。